(57)【要約】      （修正有）【課題】書類やメモ類の出し入れが容易であると共に、机上の作業スペースを確保することができる卓上紙収納ケースを提供する。【解決手段】卓上紙収納ケース１０は、机の天板上に載置して事務作業に使用できる上面板部１１を有する中空箱部１２と、上記中空箱部１２の内部に出し入れ可能に収納される引出部１３とを備えている。上記中空箱部１２は薄型に形成され、上記引出部１３は厚さ方向に沿って配置した紙を収納しうる。また、上記引出部１３は、ＪＩＳ規格に規定する紙の大きさに従って引出方向に沿って区分して形成された各収納部１４を有している。また、上記中空箱部１２は、平面略長方形状に形成されると共に、上記引出部１３は幅方向に沿って配置されている。上記中空箱部１２及び引出部１３は透明な合成樹脂製である。【選択図】図２
0003194885.tif 000002
【実用新案登録請求の範囲】
【請求項１】
机の天板上に載置して事務作業に使用できる上面板部を有する中空箱部と、上記中空箱部内に出し入れ可能に収納される引出部とを備えたことを特徴とする卓上紙収納ケース。
【請求項２】
上記中空箱部は薄型に形成され、上記引出部は厚さ方向に沿って配置した紙を収納することを特徴とする請求項１記載の卓上紙収納ケース。
【請求項３】
上記引出部は、ＪＩＳ規格に規定する紙の大きさに従って引出方向に沿って区分して形成された各収納部を有していることを特徴とする請求項２記載の卓上紙収納ケース。
【請求項４】
上記中空箱部は、平面略長方形状に形成されると共に、上記引出部は幅方向に沿って配置されていることを特徴とする請求項３記載の卓上紙収納ケース。
【請求項５】
上記中空箱部及び引出部は透明な合成樹脂製であることを特徴とする請求項４記載の卓上紙収納ケース。
【考案の詳細な説明】
【技術分野】
【０００１】
本考案は、収納ケースに係り、特に、机の天板上に載置して事務作業に使用できる卓上紙収納ケースに関するものである。
【背景技術】
【０００２】
一般に、机上での事務作業にあっては、現時点では使用しないが必要なときにすぐ取り出せる状態にしておかなければならない書類やメモ等が存在する。このような場合、上記書類やメモ等を作業者の手元に置くと、その際に行っている机上の作業によって、別の書類が上から重なって見えなくなり、いずれ書類やメモ等が散逸してしまうという事態が多く発生する。従って、上記書類やメモ等をその際に行っている作業の妨げにならない別の場所に隔離して収納することが求められる。
【０００３】
例えば、書類やメモ等を机の引き出しに入れた場合にあっては、他の書類を出し入れする都合上、必要な書類やメモ等を常に取り出しやすい位置に維持することは困難である。
【０００４】
また、書類やメモ等をデスクマットに挟んだ場合にあっては、書類やメモ等の収納可能な枚数が限られるだけでなく、実際に取り出しが可能なものはデスクマットの手前側に挟んだ書類やメモ等に限られるという不具合を生じていた。特に、デスクマットの上に文具類や書類等が載っている際には、デスクマットを捲って書類やメモ等を取り出すこと自体が困難である（例えば、特許文献１）。
【０００５】
また、書類やメモ等を机上に載置して用いる収納ケースに入れた場合にあっては、書類やメモ等の取り出しやすさを確保できる一方で、収納ケースが机上の作業スペースを奪ってしまうという不具合を生じていた（例えば、特許文献２）。
【０００６】
本件出願人はこのような観点から先行技術調査を行い、上記特許文献１及び２の外、特許文献３〜５のような文献を発見したが、上記要請に応えられる技術ではなかった。
【特許文献１】実開平５−７０３３７号公報
【特許文献２】実用新案登録第３０４５７４０号公報
【特許文献３】特開２００２−１１９３４１号公報
【特許文献４】実開昭５７−１３１１３４号公報
【特許文献５】実開昭４８−９９３２４号公報
【考案の開示】
【考案が解決しようとする課題】
【０００７】
本考案は、以上のような従来からの不具合を解決するためのものであって、その課題は、書類やメモ類の出し入れが容易であると共に、机上の作業スペースを確保することができる卓上紙収納ケースを提供することにある。
【課題を解決するための手段】
【０００８】
上記課題を解決するために、請求項１に記載の考案にあっては、机の天板上に載置して事務作業に使用できる上面板部を有する中空箱部と、上記中空箱部内に出し入れ可能に収納される引出部とを備えたことを特徴とする。
【０００９】
従って、机の天板上に載置された場合には、引出部が上記中空箱部に出し入れ可能であると共に、上記中空箱部の上面板部が作業スペースとなる。
【００１０】
請求項２に記載の考案にあっては、上記中空箱部は薄型に形成され、上記引出部は厚さ方向に沿って配置した紙を収納することを特徴とする。
【００１１】
従って、机の天板上に載置した場合には、机の天板と略同一の高さに上記上面部が配置されると共に、上記中空箱部から引き出した上記引出部へ厚さ方向に沿って紙を収納しうる。
【００１２】
請求項３に記載の考案にあっては、上記引出部は、ＪＩＳ規格に規定する紙の大きさに従って引出方向に沿って区分して形成された各収納部を有していることを特徴とする。
【００１３】
従って、上記各収納部には、夫々の収納部に対応する大きさのＪＩＳ規格に規定する紙を収納しうる。
【００１４】
請求項４に記載の考案にあっては、上記中空箱部は、平面略長方形状に形成されると共に、上記引出部は幅方向に沿って配置されていることを特徴とする。
【００１５】
従って、上記引出部は上記卓上紙収納ケースの幅方向に沿って引き出しうる。
【００１６】
請求項５に記載の考案にあっては、上記中空箱部及び引出部は透明な合成樹脂製であることを特徴とする。
【００１７】
従って、上記引出部は上記中空箱部に収納された場合においても透視可能な状態となる。
【考案の効果】
【００１８】
請求項１に記載の卓上紙収納ケースにあっては、机の天板上に載置された場合には、引出部が上記中空箱部に出し入れ可能であると共に、上記中空箱部の上面板部が作業スペースとなるので、書類やメモ類の出し入れが容易であると共に、机上の作業スペースを確保することができる。
【００１９】
請求項２に記載の卓上紙収納ケースにあっては、机の天板上に載置した場合には、机の天板と略同一の高さに上記上面部が配置されると共に、上記中空箱部から引き出した上記引出部へ厚さ方向に沿って紙を収納しうるので、机の天板上に載置した場合であっても、本来の机上で作業する場合と同じ感覚で作業できると共に、引出部に収納した書類やメモ類を容易に取り出すことができる。
【００２０】
請求項３に記載の卓上紙収納ケースにあっては、上記各収納部には、夫々の収納部に対応する大きさのＪＩＳ規格に規定する紙を収納しうるので、事務作業で多く用いられるＪＩＳ規格に規定する紙を収納できると共に、紙の大きさに応じて分別して収納することができる。
【００２１】
請求項４に記載の卓上紙収納ケースにあっては、上記引出部は幅方向に沿って引き出しうるので、上記卓上紙収納ケースを机の天板上に載置した場合には、上記引出部を手前側に引き出して使用することができる。
【００２２】
請求項５に記載の卓上紙収納ケースにあっては、上記引出部は上記中空箱部に収納された場合においても透視可能な状態となるので、上記卓上紙収納ケースの引出部を引き出すことなく収納した書類やメモ類の記載内容を確認することができる。
【図面の簡単な説明】
【００２３】
【図１】本考案に係る卓上紙収納ケースの一実施の形態を示す斜視図である。
【図２】本考案に係る卓上紙収納ケースの一実施の形態において、引出部を引き出した状態を示す斜視図である。
【図３】本考案に係る卓上紙収納ケースの一実施の形態において、上面板部を外した状態を示す分解斜視図である。
【図４】本考案に係る卓上紙収納ケースの一実施の形態において、引出部を引き出し、上面板部を外した状態を示す分解斜視図である。
【考案を実施するための最良の形態】
【００２４】
以下、添付図面に示す実施の形態に基づき、本考案を詳細に説明する。
図１及び図２に示すように、本考案の一実施の形態に係る卓上紙収納ケース１０は、机（図示せず）の天板上に載置して事務作業に使用できる上面板部１１を有する中空箱部１２と、上記中空箱部１２の内部に出し入れ可能に収納される引出部１３とを備えている。
【００２５】
また、図１及び図２に示すように、上記中空箱部１２は薄型に形成され、上記引出部１３は厚さ方向に沿って配置した紙を収納しうる。また、上記引出部１３は、ＪＩＳ規格に規定する紙の大きさに従って引出方向に沿って区分して形成された各収納部１４を有している。また、上記中空箱部１２は、平面略長方形状に形成されると共に、上記引出部１３は幅方向に沿って配置されている。
また、本考案の実施の形態において、上記中空箱部１２及び引出部１３は透明な合成樹脂製である。
【００２６】
本実施の形態に係る卓上紙収納ケース１０の構成について、添付図面を用いてより詳細に説明する。
図１〜４に示すように、本考案の実施の形態において、上記中空箱部１２は、上面板部１１と、下面板部１５と、側面板部１６、１６と、背面板部１７とにより全体薄型直方体に形成されている。上記中空箱部１２の前面には、長さ方向全域に亘って開口部３０が形成されている。一方、図３に示すように、中空箱部１２の幅方向における奥側半部３１には格子状の補強リブ２２、２３が互いに直交して、上面板部１１と下面板部１５との間に設けられている。そして、中空箱部１２の幅方向における開口部側半部３２には、上記引出部１３がスライドして出し入れ可能に配置されている。
【００２７】
上記引出部１３は、全体薄型直方体であって、中空箱部１２の内径寸法と同一に形成され、底板部３３と、底板部３３の長さ方向両端部に設けられた側板部３４、３４と、側板部３４、３４及び底板部３３の前端部に配設された前板部３５と、側板部３４、３４及び底板部３３の後端部に配設された後板部３６とにより構成されている。また、上記引出部１３は、幅方向に沿って区画形成された複数の収納部１８、１９、２０が設けられている。
本実施の形態において、複数の収納部１８、１９、２０は、ＪＩＳ規格に規定するＢ４サイズに形成された収納部１８と、Ａ４サイズに形成された収納部１９、１９、１９と、メモ等の紙片を収納しうる収納部２０とにより構成され、上記収納部１８、１９、２０は、夫々、上記引出部１３の厚さと同一の高さ寸法を有する仕切板２１、２１、２１、２１により区分されている。
【００２８】
本実施の形態に係る卓上紙収納ケース１０の作用について、添付図面を用いて説明する。
本実施の形態に係る卓上紙収納ケース１０は、机の天板上に載置して使用する。この際、上面板部１１が事務作業に使用できるように形成されているので、机の天板と同様に使用することができ、机上の作業スペースを確保することができる。特に、中空箱部１２は薄型に形成されているので、机の天板と略同一の高さに上記上面板部１１が配置されると共に、机の天板上に載置した場合であっても、本来の机上で作業する場合と同じ感覚で作業できる。
【００２９】
本実施の形態に係る中空箱部１２は、図３及び図４に示すように、幅方向及び長さ方向に沿って補強リブ２２、２３が設けられているので、上記上面板部１１に加えられた力を支持することができ、上記卓上紙収納ケース１０の破損を防止することができる。また、上記引出部１３が上記中空箱部１２の内部に収納されている場合においては、上記引出部１３に設けられた仕切板２１が、上記補強リブ２２、２３と同様に上記上面板部１１に加えられた力を支持することができる。
【００３０】
また、本実施の形態に係る卓上紙収納ケース１０は、上記中空箱部１２の内部に収納された引出部１３を上記中空箱部１２から引き出して、各収納部１４の厚さ方向に沿って書類やメモ類を収納しうる。この際、上記引出部１３を幅方向に沿って手前側に引き出すことができるので、収納した書類やメモ類を容易に取り出すことができる。
また、本実施の形態に係る引出部１３にあっては、上記各収納部１４がＪＩＳ規格に規定する紙の大きさに従って引出方向に沿って区分して形成されているので、事務作業で多く用いられるＪＩＳ規格に規定する紙を収納できると共に、紙の大きさに応じて分別して収納することができる。
【００３１】
また、本実施に係る中空箱部１２及び引出部１３は、透明な合成樹脂で形成されているので、上記卓上紙収納ケース１０にあっては、上記引出部１３を引き出すことなく収納した書類やメモ類の記載内容を確認することができる。
【００３２】
本実施の形態に係る引出部１３は、各収納部１４と仕切板２１とが一体成形されている場合を例に説明したが、各収納部が独立して形成され、各引出部として夫々引き出せるように構成されていてもよい。
また、上記引出部１３は、上記中空箱部１２の幅方向に沿って配置され、特に手前側に引き出し可能に構成されている場合を例に説明したが、上記構成に限定されず、セールスマンデスクのような対面式の机に対応して、引出部が手前側及び奥側の両方に引き出し可能に構成されていてもよいし、引出部を手前側と奥側と、夫々、別個独立に設けられていてもよい。
【００３３】
本実施の形態に係る各収納部１４は、ＪＩＳ規格に規定する紙の大きさに従って引出方向に沿って区分して形成されている場合を例に説明したが、上記構成に限定されず、他の規格に適合させてもよく、また自由に区分して形成されていてもよい。
【００３４】
本実施の形態に係る中空箱部１２及び引出部１３は透明な合成樹脂製である場合を例に説明したが、上記構成に限定されず、強度、美観の観点から鉄、木材等により形成されていてもよい。特に、引出部に収納した書類やメモ類を他人に見られたくない場合にあっては、中空箱部及び引出部が不透明な材質で形成されているとよい。
【００３５】
また、本実施の形態に係る卓上紙収納ケース１０は、机の天板上に載置して事務作業に使用できる上面板部を有する場合を例に説明したが、上記実施の形態に限定されず、様々な作業用途に広く適用することができる。
【産業上の利用可能性】
【００３６】
本考案は、机等に載置して使用できる卓上収納ケースに広く適用可能であり、産業上利用可能性を有している。
【符号の説明】
【００３７】
１０：卓上紙収納ケース
１１：上面板部
１２：中空箱部
１３：引出部
１４：各収納部
１５：下面板部
１６：側面板部
１７：背面板部
１８、１９、２０：収納部
２１：仕切板
２２、２３：補強リブ
３０：開口部
３１：奥側半部
３２：開口部側半部
３３：底板部
３４：側板部
３５：前板部
３６：後板部
【図１】
0003194885.tif 000003
【図２】
0003194885.tif 000004
【図３】
0003194885.tif 000005
【図４】
0003194885.tif 000006